(57)【特許請求の範囲】
【請求項１】
ほぼ同一の空間および時間を共有している端末装置のみがアクセス可能なコミュニティサイトを管理するコミュニティサイト管理部と、
前記端末装置のユーザによって作成され、前記コミュニティサイト上で公開されるコンテンツを管理するコンテンツ管理部と、
前記端末装置から送信されてくる、前記端末装置の位置を特定する端末データを取得する端末データ取得部と
を備え、
前記コミュニティサイト管理部は、取得された前記端末データの数が所定数より多くない場合、または、所定期間内に前記コンテンツ管理部によって前記コミュニティサイト上に新たなコンテンツが登録されていない場合、前記コミュニティサイトとともに、前記コミュニティサイト上で公開された前記コンテンツを削除する
情報処理装置。
【請求項２】
前記コミュニティサイト管理部は、さらに、前記コミュニティサイトを構成する前記端末装置が存在すべき位置の範囲である設定範囲内に存在する前記端末装置の数が他の所定数より多くない場合、または、前記コミュニティサイトに登録されている全コンテンツに対する、公開が認められないNGなコンテンツの割合が所定の割合より多い場合、前記コミュニティサイトとともに、前記コミュニティサイト上で公開された前記コンテンツを削除する
請求項１に記載の情報処理装置。
【請求項３】
端末データ取得部は、前記コミュニティサイトに関連する関連コミュニティサイトの生成が指示された場合、前記コミュニティサイトに関わる前記端末装置の前記端末データを取得し、
前記コミュニティサイト管理部は、
前記端末データ取得部によって取得された前記端末データの数が所定の数より大きい場合、前記コミュニティサイト上に登録されている前記コンテンツのうち、前記端末装置のユーザによってNGなコンテンツとして選択されたコンテンツ以外の前記コンテンツが登録された前記関連コミュニティサイトを生成するとともに、前記コミュニティサイトおよび前記コミュニティサイト上で公開された前記コンテンツを削除し、
所定の期間内に前記端末データ取得部によって取得された前記端末データの数が所定の数より大きくならなかった場合、前記関連コミュニティサイトを生成せずに、前記コミュニティサイトおよび前記コミュニティサイト上で公開された前記コンテンツを削除する
請求項１に記載の情報処理装置。
【請求項４】
前記コミュニティサイト管理部は、前記関連コミュニティサイトの生成が指示されてから所定の期間内に、前記端末データ取得部によって取得された前記端末データの数が所定の数より大きくなった場合、前記関連コミュニティサイトを生成するとともに、前記コミュニティサイトおよび前記コミュニティサイト上で公開された前記コンテンツを削除する
請求項３に記載の情報処理装置。
【請求項５】
前記端末データ取得部は、前記関連コミュニティサイトを構成する前記端末装置の前記端末データを取得し、
前記関連コミュニティサイトを構成する前記端末装置のうち、前記端末データを取得できない前記端末装置が存在する場合、前記端末データが取得されなかった前記端末装置に対して、前記端末データが取得されなかった前記端末装置によって登録された前記関連コミュニティサイト上の前記コンテンツの開示の依頼を送信する通信部をさらに備え、
前記コンテンツ管理部は、前記端末データが取得されなかった前記端末装置からの前記開示を認めない旨の応答に応じて、前記端末データが取得されなかった前記端末装置によって登録された前記関連コミュニティサイト上の前記コンテンツを削除する
請求項４に記載の情報処理装置。
【請求項６】
ほぼ同一の空間および時間を共有している端末装置のみがアクセス可能なコミュニティサイトを管理するコミュニティサイト管理部と、
前記端末装置のユーザによって作成され、前記コミュニティサイト上で公開されるコンテンツを管理するコンテンツ管理部と、
前記端末装置から送信されてくる、前記端末装置の位置を特定する端末データを取得する端末データ取得部と
を備える情報処理装置の情報処理方法であって、
取得された前記端末データの数が所定数より多くない場合、または、所定期間内に前記コンテンツ管理部によって前記コミュニティサイト上に新たなコンテンツが登録されていない場合、前記コミュニティサイトとともに、前記コミュニティサイト上で公開された前記コンテンツを削除する削除ステップ
を含む情報処理方法。
【請求項７】
ほぼ同一の空間および時間を共有している端末装置のみがアクセス可能なコミュニティサイト、および、前記端末装置のユーザによって作成され、前記コミュニティサイト上で公開されるコンテンツを管理するサーバと通信する通信部と、
自身の位置を特定する端末データを生成する生成部と
を備え、
前記通信部は、取得された前記端末データの数が所定数より多くない場合、または、所定期間内に前記コミュニティサイト上に新たなコンテンツが登録されていない場合、前記コミュニティサイトとともに、前記コミュニティサイト上で公開された前記コンテンツを削除する前記サーバに、前記端末データを送信する
端末装置。
【請求項８】
前記通信部は、さらに、前記コミュニティサイトを構成する前記端末装置が存在すべき位置の範囲である設定範囲内に存在する前記端末装置の数が他の所定数より多くない場合、または、前記コミュニティサイトに登録されている全コンテンツに対する、公開が認められないNGなコンテンツの割合が所定の割合より多い場合、前記コミュニティサイトとともに、前記コミュニティサイト上で公開された前記コンテンツを削除する前記サーバに、前記端末データを送信する
請求項７に記載の端末装置。
【請求項９】
前記サーバにおいて、前記コミュニティサイトに関連する関連コミュニティサイトの生成が指示された場合、
前記通信部は、
前記端末データの数が所定の数より大きい場合、前記コミュニティサイト上に登録されている前記コンテンツのうち、前記端末装置のユーザによってNGなコンテンツとして選択されたコンテンツ以外の前記コンテンツが登録された前記関連コミュニティサイトを生成するとともに、前記コミュニティサイトおよび前記コミュニティサイト上で公開された前記コンテンツを削除し、
所定の期間内に取得された前記端末データの数が所定の数より大きくならなかった場合、前記関連コミュニティサイトを生成せずに、前記コミュニティサイトおよび前記コミュニティサイト上で公開された前記コンテンツを削除する前記サーバに、
前記端末データを送信する
請求項７に記載の端末装置。
【請求項１０】
前記サーバにおいて、前記関連コミュニティサイトが生成された後、前記サーバにより、自身の前記端末データが取得されなかった場合、
前記通信部は、自身が登録した前記関連コミュニティサイト上の前記コンテンツの開示の依頼を前記サーバから受信し、前記依頼に対する応答に前記サーバに送信する
請求項９に記載の端末装置。
【請求項１１】
複数の端末装置と、ほぼ同一の空間および時間を共有している前記端末装置のみがアクセス可能なコミュニティサイトを作成する情報処理装置とからなる情報処理システムにおいて、
前記端末装置は、
自身の位置を特定する端末データを生成する生成部と、
前記情報処理装置に、前記端末データを送信する通信部と
を備え、
前記情報処理装置は、
前記コミュニティサイトを管理するコミュニティサイト管理部と、
前記端末装置のユーザによって作成され、前記コミュニティサイト上で公開されるコンテンツを管理するコンテンツ管理部と、
前記端末装置から送信されてくる、前記端末装置の位置を特定する端末データを取得する端末データ取得部と
を備え、
前記コミュニティサイト管理部は、取得された前記端末データの数が所定数より多くない場合、または、所定期間内に前記コンテンツ管理部によって前記コミュニティサイト上に新たなコンテンツが登録されていない場合、前記コミュニティサイトとともに、前記コミュニティサイト上で公開された前記コンテンツを削除する
情報処理システム。
【発明の詳細な説明】
【技術分野】
【０００１】
本技術は、情報処理装置および方法、端末装置、並びに情報処理システムに関し、特に、より安心してコミュニティサイトを利用することができるようになる情報処理装置および方法、端末装置、並びに情報処理システムに関する。
【背景技術】
【０００２】
近年、iPhone（登録商標）等の各種のモバイル機器においては、Wi-Fiや3G、Bluetooth（登録商標）等の通信機能を利用してインターネットに接続することが行われている。
【０００３】
このようなモバイル機器において、GPS（Global Positioning System）やWi-Fi等の機能を用いて位置情報および時間情報を取得することで、同一の空間および時間を共有しているモバイル機器のユーザのみがアクセス可能なコミュニティサイトを提供するSNS（Social Network Service）が提案されている（例えば、特許文献１参照）。
【０００４】
このSNSは、インターネットを介したネットワーク上の人的つながりだけでなく、互いに近接無線通信を行うアドホックなモバイル機器によって実現される、現実世界での人的つながりを反映させたサービスを提供するものであり、以下、ASNS（Ad hoc SNS）と称する。なお、ASNSにおいて提供されるコミュニティサイトは、モバイル機器の位置情報や時間情報に基づいて形成されるだけに限らず、位置情報や時間情報に加えて、所定の画像やテキストデータ等、それぞれのモバイル機器から提示される、互いに共通または類似したオブジェクト（共通類似オブジェクト）に基づいて形成されるようにもできる。例えば、位置情報がほぼ一致し、かつ、特定の人の写真や合言葉といった共通類似オブジェクトを一定時間内に提示したモバイル機器同士によって、コミュニティサイトが形成されるようにしてもよい。また、例えば、位置情報がほぼ一致するモバイル機器同士によって、コミュニティサイトが形成されるようにしてもよいし、共通類似オブジェクトを一定時間内に提示したモバイル機器同士によって、コミュニティサイトが形成されるようにしてもよい。
【先行技術文献】
【特許文献】
【０００５】
【特許文献１】特開２０１０−２１８５２４号公報
【発明の概要】
【発明が解決しようとする課題】
【０００６】
ところで、インターネット上で実現される一般的なSNSと同様に、上述したASNSにおいても、コミュニティサイトを管理する管理者が置かれる必要がある。
【０００７】
上述したように、ASNSにおいて作成されたコミュニティサイトは、現実世界での人的つながりを反映させたものであるので、その現実世界での集まりが解散した場合、管理者がコミュニティサイトの管理をしなくなる恐れがあり、そのコミュニティサイトは放置されてしまう恐れがあった。
【０００８】
また、コミュニティサイトに特定の管理者を置かない場合であっても、現実世界での集まりが解散した後では、そのコミュニティサイトにアクセスするメンバも少なくなるので、やはり、そのコミュニティサイトは放置されてしまう。
【０００９】
さらに、コミュニティサイトが放置された場合、第３者に何らかの手段でそのコミュニティサイトの情報を盗み見られる等、情報の漏えいを招く恐れがあり、ユーザは、安心してコミュニティサイトを利用できなくなってしまう。
【００１０】
本技術は、このような状況に鑑みてなされたものであり、より安心してコミュニティサイトを利用することができるようにするものである。
【課題を解決するための手段】
【００１１】
本技術の第１の側面の情報処理装置は、ほぼ同一の空間および時間を共有している端末装置のみがアクセス可能なコミュニティサイトを管理するコミュニティサイト管理部と、前記端末装置のユーザによって作成され、前記コミュニティサイト上で公開されるコンテンツを管理するコンテンツ管理部と、前記端末装置から送信されてくる、前記端末装置の位置を特定する端末データを取得する端末データ取得部とを備え、前記コミュニティサイト管理部は、取得された前記端末データの数が所定数より多くない場合、または、所定期間内に前記コンテンツ管理部によって前記コミュニティサイト上に新たなコンテンツが登録されていない場合、前記コミュニティサイトとともに、前記コミュニティサイト上で公開された前記コンテンツを削除する。
【００１２】
前記コミュニティサイト管理部には、さらに、前記コミュニティサイトを構成する前記端末装置が存在すべき位置の範囲である設定範囲内に存在する前記端末装置の数が他の所定数より多くない場合、または、前記コミュニティサイトに登録されている全コンテンツに対する、公開が認められないNGなコンテンツの割合が所定の割合より多い場合、前記コミュニティサイトとともに、前記コミュニティサイト上で公開された前記コンテンツを削除させることができる。
【００１３】
端末データ取得部には、前記コミュニティサイトに関連する関連コミュニティサイトの生成が指示された場合、前記コミュニティサイトに関わる前記端末装置の前記端末データを取得させ、前記コミュニティサイト管理部には、前記端末データ取得部によって取得された前記端末データの数が所定の数より大きい場合、前記コミュニティサイト上に登録されている前記コンテンツのうち、前記端末装置のユーザによってNGなコンテンツとして選択されたコンテンツ以外の前記コンテンツが登録された前記関連コミュニティサイトを生成するとともに、前記コミュニティサイトおよび前記コミュニティサイト上で公開された前記コンテンツを削除させ、所定の期間内に前記端末データ取得部によって取得された前記端末データの数が所定の数より大きくならなかった場合、前記関連コミュニティサイトを生成せず、前記コミュニティサイトおよび前記コミュニティサイト上で公開された前記コンテンツを削除させることができる。
【００１４】
前記コミュニティサイト管理部には、前記関連コミュニティサイトの生成が指示されてから所定の期間内に、前記端末データ取得部によって取得された前記端末データの数が所定の数より大きくなった場合、前記関連コミュニティサイトを生成するとともに、前記コミュニティサイトおよび前記コミュニティサイト上で公開された前記コンテンツを削除させることができる。
【００１５】
前記端末データ取得部には、前記関連コミュニティサイトを構成する前記端末装置の前記端末データを取得させ、前記情報処理装置には、前記関連コミュニティサイトを構成する前記端末装置のうち、前記端末データを取得できない前記端末装置が存在する場合、前記端末データが取得されなかった前記端末装置に対して、前記端末データが取得されなかった前記端末装置によって登録された前記関連コミュニティサイト上の前記コンテンツの開示の依頼を送信する通信部をさらに設け、前記コンテンツ管理部には、前記端末データが取得されなかった前記端末装置からの前記開示を認めない旨の応答に応じて、前記端末データが取得されなかった前記端末装置によって登録された前記関連コミュニティサイト上の前記コンテンツを削除させることができる。
【００１６】
本技術の第１の側面の情報処理方法は、ほぼ同一の空間および時間を共有している端末装置のみがアクセス可能なコミュニティサイトを管理するコミュニティサイト管理部と、前記端末装置のユーザによって作成され、前記コミュニティサイト上で公開されるコンテンツを管理するコンテンツ管理部と、前記端末装置から送信されてくる、前記端末装置の位置を特定する端末データを取得する端末データ取得部とを備える情報処理装置の情報処理方法であって、取得された前記端末データの数が所定数より多くない場合、または、所定期間内に前記コンテンツ管理部によって前記コミュニティサイト上に新たなコンテンツが登録されていない場合、前記コミュニティサイトとともに、前記コミュニティサイト上で公開された前記コンテンツを削除する削除ステップを含む。
【００１７】
本技術の第１の側面においては、ほぼ同一の空間および時間を共有している端末装置のみがアクセス可能なコミュニティサイトが管理され、端末装置のユーザによって作成され、コミュニティサイト上で公開されるコンテンツが管理され、端末装置から送信されてくる、端末装置の位置を特定する端末データが取得され、取得された端末データの数が所定数より多くない場合、または、所定期間内にコミュニティサイト上に新たなコンテンツが登録されていない場合、コミュニティサイトとともに、コミュニティサイト上のコンテンツが削除される。
【００１８】
本技術の第２の側面の端末装置は、ほぼ同一の空間および時間を共有している端末装置のみがアクセス可能なコミュニティサイト、および、前記端末装置のユーザによって作成され、前記コミュニティサイト上で公開されるコンテンツを管理するサーバと通信する通信部と、自身の位置を特定する端末データを生成する生成部とを備え、前記通信部は、取得された前記端末データの数が所定数より多くない場合、または、所定期間内に前記コミュニティサイト上に新たなコンテンツが登録されていない場合、前記コミュニティサイトとともに、前記コミュニティサイト上で公開された前記コンテンツを削除する前記サーバに、前記端末データを送信する。
【００１９】
前記通信部には、さらに、前記コミュニティサイトを構成する前記端末装置が存在すべき位置の範囲である設定範囲内に存在する前記端末装置の数が他の所定数より多くない場合、または、前記コミュニティサイトに登録されている全コンテンツに対する、公開が認められないNGなコンテンツの割合が所定の割合より多い場合、前記コミュニティサイトとともに、前記コミュニティサイト上で公開された前記コンテンツを削除する前記サーバに、前記端末データを送信させることができる。
【００２０】
前記サーバにおいて、前記コミュニティサイトに関連する関連コミュニティサイトの生成が指示された場合、前記通信部には、前記端末データの数が所定の数より大きい場合、前記コミュニティサイト上に登録されている前記コンテンツのうち、前記端末装置のユーザによってNGなコンテンツとして選択されたコンテンツ以外の前記コンテンツが登録された前記関連コミュニティサイトを生成するとともに、前記コミュニティサイトおよび前記コミュニティサイト上で公開された前記コンテンツを削除し、所定の期間内に取得された前記端末データの数が所定の数より大きくならなかった場合、前記関連コミュニティサイトを生成せず、前記コミュニティサイトおよび前記コミュニティサイト上で公開された前記コンテンツを削除する前記サーバに、前記端末データを送信させることができる。
【００２１】
前記サーバにおいて、前記関連コミュニティサイトが生成された後、前記サーバにより、自身の前記端末データが取得されなかった場合、前記通信部には、自身が登録した前記関連コミュニティサイト上の前記コンテンツの開示の依頼を前記サーバから受信させ、前記依頼に対する応答に前記サーバに送信させることができる。
【００２２】
本技術の第２の側面においては、ほぼ同一の空間および時間を共有している端末装置のみがアクセス可能なコミュニティサイト、および、端末装置のユーザによって作成され、コミュニティサイト上で公開されるコンテンツを管理するサーバと通信され、自身の位置を特定する端末データが生成され、取得された端末データの数が所定数より多くない場合、または、所定期間内にコミュニティサイト上に新たなコンテンツが登録されていない場合、コミュニティサイトとともに、コミュニティサイト上で公開されたコンテンツを削除するサーバに、端末データが送信される。
【００２３】
本技術の第３の側面の情報処理システムは、複数の端末装置と、ほぼ同一の空間および時間を共有している前記端末装置のみがアクセス可能なコミュニティサイトを作成する情報処理装置とからなる情報処理システムであって、前記端末装置が、自身の位置を特定する端末データを生成する生成部と、前記情報処理装置に、前記端末データを送信する通信部とを備え、前記情報処理装置が、前記コミュニティサイトを管理するコミュニティサイト管理部と、前記端末装置のユーザによって作成され、前記コミュニティサイト上で公開されるコンテンツを管理するコンテンツ管理部と、前記端末装置から送信されてくる、前記端末装置の位置を特定する端末データを取得する端末データ取得部とを備え、前記コミュニティサイト管理部は、取得された前記端末データの数が所定数より多くない場合、または、所定期間内に前記コンテンツ管理部によって前記コミュニティサイト上に新たなコンテンツが登録されていない場合、前記コミュニティサイトとともに、前記コミュニティサイト上で公開された前記コンテンツを削除する。
【００２４】
本技術の第３の側面においては、端末装置によって、自身の位置を特定する端末データが生成され、情報処理装置に、端末データが送信され、情報処理装置によって、端末装置間の距離に応じて作成されるコミュニティサイトが管理され、端末装置のユーザによって作成され、コミュニティサイト上で公開されるコンテンツが管理され、端末装置から送信されてくる、端末装置の位置を特定する端末データが取得され、取得された端末データの数が所定数より多くない場合、または、所定期間内にコミュニティサイト上に新たなコンテンツが登録されていない場合、コミュニティサイトとともに、コミュニティサイト上のコンテンツが削除される。
【発明の効果】
【００２５】
本技術の第１乃至第３の側面によれば、より安心してコミュニティサイトを利用することが可能となる。
【図面の簡単な説明】
【００２６】
【図１】本技術の一実施の形態に係る情報処理システムとしてのコミュニティサイト提供システムの構成例を示す図である。
【図２】臨時コミュニティサイト管理部の機能構成例を示すブロック図である。
【図３】コンテンツ管理部の機能構成例を示すブロック図である。
【図４】臨時コミュニティサイト管理データの詳細について説明する図である。
【図５】コンテンツ管理データの詳細について説明する図である。
【図６】臨時コミュニティサイト削除処理について説明するフローチャートである。
【図７】コンテンツ判定処理について説明するフローチャートである。
【図８】有効期限判定処理について説明するフローチャートである。
【図９】有効期限判定処理について説明するフローチャートである。
【図１０】臨時コミュニティサイト引き継ぎ処理について説明するフローチャートである。
【図１１】臨時コミュニティサイト作成の表示画面の例を示す図である。
【図１２】コンテンツ開示処理について説明するフローチャートである。
【図１３】コンテンツ開示処理について説明するフローチャートである。
【図１４】コンピュータのハードウェアの構成例を示すブロック図である。
【発明を実施するための形態】
【００２７】
以下、本技術の実施の形態について図を参照して説明する。
【００２８】
［コミュニティサイト提供システムの構成例］
図１は、本技術の一実施の形態に係る情報処理システムとしてのコミュニティサイト提供システムの構成例を示している。
【００２９】
図１のコミュニティサイト提供システムにおいては、ネットワークとしてのインターネット１を介して、携帯端末装置２−１，２−２とASNS（Ad hoc Social Network Service）サーバ３とが接続されている。なお、以下において、携帯端末装置２−１，２−２をそれぞれ区別する必要がない場合は、単に、携帯端末装置２と称することとする。
【００３０】
携帯端末装置２は、ユーザが携帯可能な通信端末装置であり、携帯電話機、PDA（Personal Digital Assistants）、携帯ゲーム機、ノート型パーソナルコンピュータ等として構成される。
【００３１】
携帯端末装置２は、ネットワーク通信部２１、位置特定部２２、および近距離無線通信部２３を備える。
【００３２】
ネットワーク通信部２１は、インターネット１を利用して、ASNSサーバ３との間で通信を行う。
【００３３】
位置特定部２２は、GPS（Global Positioning System）受信機能、基地局や無線LAN（Local Area Network）を利用した測位機能を備え、携帯端末装置２の位置を特定し、その位置を表す端末データを生成する。
【００３４】
近距離無線通信部２３は、赤外線やBluetooth（登録商標）等の近距離無線通信機能を利用して、他の携帯端末装置２との間でアドホック通信を行う。具体的には、近距離無線通信部２３は、近隣の所定範囲内に存在する他の携帯端末装置２を通信相手として探索し、通信相手が見つかった場合に、その通信相手と接続する。そして、近距離無線通信部２３は、通信相手の携帯端末装置２との間で、テキストデータや画像データ等のコンテンツのやり取りを行った後、その通信を切断する。
【００３５】
ネットワーク通信部２１は、位置特定部２２によって特定された携帯端末装置２の位置を表す端末データを、ASNSサーバ３に送信する。なお、ネットワーク通信部２１は、近距離無線通信部２３により近距離無線通信が行われた後、この近距離無線通信に関する情報として、端末データをASNSサーバ３に送信するようにしてもよい。
【００３６】
また、ネットワーク通信部２１は、ASNSサーバ３に対して、携帯端末装置２の位置を表す端末データを送信するようにしたが、携帯端末装置２を特定するデータ、例えば、携帯端末装置２がカメラ機能を有する場合には携帯端末装置２によって撮影された画像データや、携帯端末装置２に対するユーザの操作により入力されたテキストデータ等のオブジェクトを、端末データとして送信するようにしてもよい。
【００３７】
また、ネットワーク通信部２１は、ASNSサーバ３から送信されてくるWebページデータを受信し、Webブラウザを用いて、図示せぬ表示部としてのディスプレイに表示させる。Webブラウザは、インターネット１の標準プロトコルであるHTTP（Hyper Text Transfer Protocol）に従い、HTML（Hyper Text Markup Language）等の言語で記述されたWebページデータの要求、取得、表示、およびフォームデータの送信等を行う。
【００３８】
なお、ネットワーク通信部２１は、WebブラウザによってWebページデータ等のデータを送受信する以外にも、専用のアプリケーションを用いてデータを送受信することが可能である。また、Webページデータとしては、HTMLで記述されたものに限らず、XML（Extensible Markup Language）やJSON（JavaScript Object Notation）等のその他の言語で記述されていてもよい。また、通信プロトコルとしては、HTTPに限らず、FTP（File Transfer Protocol）等のその他の通信プロトコルが使用されるようにしてもよい。
【００３９】
ASNSサーバ３は、携帯端末装置２それぞれから送信されてくる端末データを管理する。ASNSサーバ３は、携帯端末装置２からの端末データを利用することでASNSを実現し、同一の空間および時間を共有している携帯端末装置２のみがアクセス可能なコミュニティサイトを、携帯端末装置２のユーザに対して提供する。このコミュニティサイト上では、携帯端末装置２のユーザが作成した、ブログ等のテキストデータ、画像、音楽などのコンテンツが公開される。なお、このコミュニティサイトは、その場にいるメンバ（ユーザ）のみがアクセス可能となる臨時的なコミュニティサイトであり、以下、臨時コミュニティサイトと称する。
【００４０】
また、ASNSサーバ３は、携帯端末装置２それぞれから送信されてくる、所定の画像やテキストデータ等のオブジェクトとしての端末データを管理することで、ほぼ同一の空間および時間を共有し、共通または類似した人の写真や合言葉等（共通類似オブジェクト）を提示した携帯端末装置２のみがアクセス可能なコミュニティサイトを、臨時コミュニティサイトとして、携帯端末装置２のユーザに対して提供することもできる。
【００４１】
すなわち、ASNSサーバ３によって提供される臨時コミュニティサイトは、いわば、携帯端末装置２それぞれから送信されてくる端末データの類似度に応じて生成される。
【００４２】
ASNSサーバ３は、ネットワーク通信部３１、端末データ取得部３２、臨時コミュニティサイト管理部３３、コンテンツ管理部３４、コンテンツ判定部３５、臨時コミュニティサイト管理DB（データベース）４１、およびコンテンツ管理DB４２を備える。
【００４３】
ネットワーク通信部３１は、インターネット１を利用して、携帯端末装置２との間で通信を行う。
【００４４】
端末データ取得部３２は、ネットワーク通信部３１による携帯端末装置２との通信により受信される、携帯端末装置２の端末データを取得することで、携帯端末装置２の位置の把握を行う。
【００４５】
臨時コミュニティサイト管理部３３は、特定の携帯端末装置２のみがアクセス可能な臨時コミュニティサイトを管理する。具体的には、臨時コミュニティサイト管理部３３は、臨時コミュニティサイトに関するデータである臨時コミュニティサイト管理データによって、その臨時コミュニティサイトを管理する。
【００４６】
コンテンツ管理部３４は、臨時コミュニティサイト上で公開される、携帯端末装置２のユーザが作成した、ブログ、画像、音楽などのコンテンツを管理する。具体的には、コンテンツ管理部３４は、コンテンツに関するデータであるコンテンツ管理データによって、そのコンテンツを管理する。
【００４７】
コンテンツ判定部３５は、臨時コミュニティサイト上で公開されるコンテンツが、正当なコンテンツであるか否かを判定する。
【００４８】
臨時コミュニティサイト管理DB４１は、臨時コミュニティサイトに関するデータである臨時コミュニティサイト管理データを記憶している。臨時コミュニティサイト管理データは、臨時コミュニティサイトを特定する臨時コミュニティID（Identifier）や、臨時コミュニティサイトを構成する携帯端末装置２を特定する情報等から構成される。
【００４９】
コンテンツ管理DB４２は、臨時コミュニティサイト上で公開されるコンテンツに関するデータであるコンテンツ管理データを記憶している。コンテンツ管理データは、そのコンテンツが公開される臨時コミュニティサイト毎に存在し、その臨時コミュニティサイト上で公開される各コンテンツの登録が指示された携帯端末装置２を特定する情報や登録日時、そのコンテンツの分類を表す情報等から構成される。
【００５０】
［臨時コミュニティサイト管理部の機能構成例］
次に、図２を参照して、臨時コミュニティサイト管理部３３の機能構成例について説明する。
【００５１】
図２の臨時コミュニティサイト管理部３３は、生成部６１、参照部６２、更新部６３、および削除部６４を備えている。
【００５２】
生成部６１は、複数の携帯端末装置２からの端末データと、複数の携帯端末装置２のうちの例えば１台からの、臨時コミュニティサイトの作成の指示とに基づいて、その場にいるユーザ（メンバ）が扱う携帯端末装置２それぞれのみがアクセス可能となる臨時コミュニティサイトを作成するとともに、その臨時コミュニティサイトを管理するための臨時コミュニティサイト管理データを生成し、臨時コミュニティサイト管理DB４１に記憶させる。
【００５３】
参照部６２は、携帯端末装置２からの指示に応じて、臨時コミュニティサイト管理DB４１の臨時コミュニティサイト管理データを参照する。
【００５４】
更新部６３は、携帯端末装置２からの指示に応じて、臨時コミュニティサイト管理DB４１の臨時コミュニティサイト管理データを更新する。
【００５５】
削除部６４は、臨時コミュニティサイト管理DB４１の臨時コミュニティサイト管理データを削除する。また、削除部６４は、削除される臨時コミュニティサイト上で公開されているコンテンツを削除するとともに、対応するコンテンツ管理データをコンテンツ管理DB４２から削除する。なお、削除部６４は、必要に応じて、臨時コミュニティサイト管理データを削除するとともに、対応する臨時コミュニティサイト自体を削除することもできる。
【００５６】
［臨時コミュニティサイト管理データの詳細な例］
ここで、図３を参照して、臨時コミュニティサイトを管理するための臨時コミュニティサイト管理データの詳細な例について説明する。
【００５７】
図３に示されるように、臨時コミュニティサイト管理データは、臨時コミュニティID、設定範囲、構成ユーザ、属性、最終更新タイムスタンプ、およびNGコンテンツから構成される。
【００５８】
臨時コミュニティIDは、臨時コミュニティサイトを特定するための情報であり、設定範囲は、臨時コミュニティサイトが維持されるために、その臨時コミュニティサイトを構成する携帯端末装置２が存在すべき位置の範囲を示す情報である。設定範囲は、例えば、携帯端末装置２同士が近距離無線通信を行った位置（緯度および経度）や、複数の携帯端末装置２の位置の中心（重心）となるような位置を基準とした所定の範囲を示す情報とされる。
【００５９】
構成ユーザは、臨時コミュニティサイトを構成する携帯端末装置２を特定する、例えば、IP（Internet Protocol）アドレス等の情報であり、属性は、携帯端末装置２のユーザとしてのメンバがどのような集まり（イベント）について臨時コミュニティサイトを作成したかを示す情報である。
【００６０】
最終更新タイムスタンプは、臨時コミュニティサイト上で公開されるコンテンツが更新された直近の日時を示す情報であり、NGコンテンツは、臨時コミュニティサイト上での公開を避ける（禁止する）ために参照・比較されるコンテンツについての情報であり、例えば、臨時コミュニティサイトの作成時に設定される。なお、NGコンテンツは、デフォルトで設定されるようにしてもよい。
【００６１】
図３の例においては、例えば、臨時コミュニティID「c_1」で特定される臨時コミュニティサイトは、緯度および経度「X1Y1」を中心に半径50mが設定範囲とされ、「IP1」，「IP2」，「IP10」で表わされる３台の携帯端末装置２から構成されるものである。また、臨時コミュニティID「c_1」で特定される臨時コミュニティサイトは、「宴会」で作成され、「2011年3月3日5:10」にコンテンツが更新され、コンテンツ（テキストデータ）「NG.txt」ファイルに記載されているNGワードを含むテキストデータがNGコンテンツとされる。
【００６２】
また、例えば、臨時コミュニティID「c_2」で特定される臨時コミュニティサイトは、緯度および経度「X2Y2」を中心に半径10mが設定範囲とされ、「IP3」，「IP4」，「IP5」で表わされる３台の携帯端末装置２から構成されるものである。また、臨時コミュニティID「c_2」で特定される臨時コミュニティサイトは、「結婚式」で作成され、「2011年3月3日23:10」にコンテンツが更新され、コンテンツ（画像データ）「aaa.mpg」ファイルの画像データと同一または類似のコンテンツがNGコンテンツとされる。なお、画像データの類似性は、既存の画像処理技術を用いて判断することができる。
【００６３】
そして、例えば、臨時コミュニティID「c_3」で特定される臨時コミュニティサイトは、緯度および経度「X3Y3」を中心に半径10mが設定範囲とされ、「IP6」，「IP7」，「IP8」，「IP9」，「IP12」で表わされる５台の携帯端末装置２から構成されるものである。また、臨時コミュニティID「c_3」で特定される臨時コミュニティサイトは、「同窓会」で作成され、「2011年3月3日7:20」にコンテンツが更新され、コンテンツ（音声データ）「bbb.mp3」ファイルの音声データ（音楽データ）と同一または類似のコンテンツがNGコンテンツとされる。なお、音声データの類似性は、既存の音声処理技術を用いて判断することができる。
【００６４】
臨時コミュニティサイト管理部３３は、このような臨時コミュニティサイト管理データに基づいて、臨時コミュニティサイトを管理する。
【００６５】
［コンテンツ管理部の機能構成例］
次に、図４を参照して、コンテンツ管理部３４の機能構成例について説明する。
【００６６】
図４のコンテンツ管理部３４は、生成部８１、参照部８２、更新部８３、および削除部８４を備えている。
【００６７】
生成部８１は、臨時コミュニティサイトを構成する携帯端末装置２のうちの例えば１台からの、コンテンツの登録の指示に基づいて、臨時コミュニティサイト上で公開されるコンテンツを登録するとともに、そのコンテンツを管理するためのコンテンツ管理データを生成し、コンテンツ管理DB４２に記憶させる。
【００６８】
参照部８２は、携帯端末装置２からの指示に応じて、コンテンツ管理DB４２のコンテンツ管理データを参照する。
【００６９】
更新部８３は、携帯端末装置２からの指示に応じて、コンテンツ管理DB４２のコンテンツ管理データを更新する。
【００７０】
削除部８４は、携帯端末装置２からの指示に応じて、コンテンツ管理DB４２のコンテンツ管理データを削除する。
【００７１】
［コンテンツ管理データの詳細な例］
ここで、図５を参照して、臨時コミュニティサイト上で公開されるコンテンツを管理するためのコンテンツ管理データの詳細な例について説明する。
【００７２】
図５に示されるように、コンテンツ管理データは、登録ID、ユーザID、登録日時、有効期限、分類、および公開フラグから構成される。
【００７３】
登録IDは、所定の臨時コミュニティサイトにおいて登録されたコンテンツそれぞれを特定する情報であり、ユーザIDは、その臨時コミュニティサイトにおいてそのコンテンツの登録を指示したユーザの携帯端末装置２を特定する、例えば、IPアドレス等の情報である。
【００７４】
登録日時は、その臨時コミュニティサイトにおいてそのコンテンツの登録が指示された日時を示す情報である。有効期限は、そのコンテンツが、公開されているコミュニティサイト上から削除される日時を表す情報であり、その日時は、例えば、登録日時から１日後等の日時とされる。
【００７５】
分類は、臨時コミュニティサイトに登録されたそのコンテンツの分類を表す情報であり、公開フラグは、コンテンツ管理データに対応するコンテンツの公開の可否（OKまたはNG）を表す情報である。
【００７６】
なお、図５のコンテンツ管理データは、図３の臨時コミュニティサイト管理データにおける、臨時コミュニティID「c_1」で特定される臨時コミュニティサイト上で公開されるコンテンツを管理するためのコンテンツ管理データの例を示している。
【００７７】
図５の例においては、例えば、登録ID「１」で特定されるコンテンツは、「IP1」で特定される携帯端末装置２によって、「2011年2月9日10:00」に登録され、「2011年2月10日10:00」が有効期限とされる。また、登録ID「１」で特定されるコンテンツは、「ブログ」とされ、公開「OK」とされる。
【００７８】
また、例えば、登録ID「２」で特定されるコンテンツは、「IP2」で特定される携帯端末装置２によって、「2011年2月9日9:00」に登録され、「2011年2月10日9:00」が有効期限とされる。また、登録ID「２」で特定されるコンテンツは、「音楽コンテンツ」とされ、公開「OK」とされる。
【００７９】
そして、例えば、登録ID「３」で特定されるコンテンツは、「IP10」で特定される携帯端末装置２によって、「2011年2月14日10:00」に登録され、「2011年2月15日10:00」が有効期限とされる。また、登録ID「３」で特定されるコンテンツは、「動画コンテンツ」とされ、公開「OK」とされる。
【００８０】
コンテンツ管理部３４は、このようなコンテンツ管理データに基づいて、臨時コミュニティサイト上に公開されるコンテンツを管理する。
【００８１】
ところで、宴会や結婚式、同窓会等のイベントで、その場にいるメンバ（ユーザ）によって臨時コミュニティサイトが作成され、メンバ同士のつながり（関係）がさほど深くならずにその場が終了した場合、管理者がコミュニティサイトの管理をしなくなる恐れがあり、そのコミュニティサイトは放置されてしまう恐れがあった。
【００８２】
そこで、以下においては、本技術の一実施の形態に係るコミュニティサイト提供システムにおける臨時コミュニティの削除について説明する。
【００８３】
［臨時コミュニティ削除処理について］
図６は、本技術の一実施の形態に係るコミュニティサイト提供システムにおける臨時コミュニティサイト削除処理について説明するフローチャートである。臨時コミュニティサイト削除処理は、ASNSサーバ３によって、臨時コミュニティサイト毎に実行される。
【００８４】
ステップＳ１１において、臨時コミュニティサイト管理部３３の参照部６２は、臨時コミュニティサイト管理DB４１に記憶されている臨時コミュニティサイト管理データを参照する。
【００８５】
ステップＳ１２において、端末データ取得部３２は、ネットワーク通信部３１による携帯端末装置２との通信により受信される、臨時コミュニティサイトを構成する携帯端末装置２の位置を表す端末データを取得する。
【００８６】
ステップＳ１３において、臨時コミュニティサイト管理部３３の削除部６４は、端末データ取得部３２によって取得された端末データの数が、所定数より多いか否かを判定する。この所定数は、例えば、臨時コミュニティサイト管理データの構成ユーザで示される携帯端末装置２の数の75％等とされる。
【００８７】
ステップＳ１３において、所定数より多いと判定された場合、処理はステップＳ１４に進む。
【００８８】
ステップＳ１４において、臨時コミュニティサイト管理部３３の削除部６４は、端末データ取得部３２によって取得された端末データに基づいて、臨時コミュニティサイト管理データの設定範囲内に存在する携帯端末装置２の数が、所定数より多いか否かを判定する。この所定数は、例えば、臨時コミュニティサイト管理データの構成ユーザで示される携帯端末装置２の数の50％等とされる。
【００８９】
ステップＳ１４において、所定数より多いと判定された場合、処理はステップＳ１５に進む。
【００９０】
ステップＳ１５において、臨時コミュニティサイト管理部３３の削除部６４は、臨時コミュニティサイト管理データの最終更新タイムスタンプと現在日時とに基づいて、例えば、現在日時から30分間等の所定期間内に、臨時コミュニティ上に新たなコンテンツが登録されたか否かを判定する。
【００９１】
ステップＳ１５において、所定期間内に新たなコンテンツが登録されたと判定された場合、処理はステップＳ１６に進む。
【００９２】
ステップＳ１６において、臨時コミュニティサイト管理部３３の削除部６４は、臨時コミュニティサイトにおいて、その臨時コミュニティサイトでの公開が認められないNGなコンテンツが所定数より多く登録されているか否かを判定する。具体的には、例えば、削除部６４は、各コンテンツが臨時コミュニティサイトに登録される際に実行される、コンテンツ判定部３５によるコンテンツ判定処理の結果に基づいて得られる統計的なデータ（例えば、臨時コミュニティサイトに登録されている全コンテンツに対するNGなコンテンツの割合）が所定の割合より大きいか否かを判定する。
【００９３】
［コンテンツ判定処理について］
ここで、図７を参照して、コンテンツ判定部３５によるコンテンツ判定処理について説明する。このコンテンツ判定処理は、臨時コミュニティサイト管理データで特定される臨時コミュニティサイト上で公開されているコンテンツのそれぞれに対して実行され、コンテンツが臨時コミュニティサイトに登録される際に実行される。以下、コンテンツ判定処理の対象となるコンテンツを注目コンテンツという。
【００９４】
ステップＳ３１において、コンテンツ判定部３５は、注目コンテンツが、例えば、ブログの文章を構成するテキストデータであるか否かを判定する。
【００９５】
ステップＳ３１において、注目コンテンツがテキストデータであると判定された場合、処理はステップＳ３２に進み、コンテンツ判定部３５は、そのテキストデータが、図３の臨時コミュニティサイト管理データの「NGコンテンツ」として登録されている、公序良俗に反する言葉や特定の個人を誹謗中傷する言葉等を表すNGテキストを含むか否かを判定する。
【００９６】
ステップＳ３２において、NGテキストを含むと判定された場合、ステップＳ３３において、コンテンツ判定部３５は、注目コンテンツが、NGなコンテンツであると判定し、処理は終了する。また、ステップＳ３２において、NGテキストを含まないと判定された場合、コンテンツ判定部３５は、何もせず、処理は終了する。
【００９７】
一方、ステップＳ３１において、注目コンテンツがテキストデータでないと判定された場合、処理はステップＳ３４に進み、コンテンツ判定部３５は、注目コンテンツが音声データであるか否かを判定する。
【００９８】
ステップＳ３４において、注目コンテンツが音声データであると判定された場合、処理はステップＳ３５に進み、コンテンツ判定部３５は、音声データであるコンテンツをテキストデータに変換する。その後、処理はステップＳ３２に進み、それ以降の処理が実行される。
【００９９】
一方、ステップＳ３４において、注目コンテンツが音声データでないと判定された場合、処理はステップＳ３６に進み、コンテンツ判定部３５は、注目コンテンツが動画像または静止画像の画像データであるか否かを判定する。
【０１００】
ステップＳ３６において、注目コンテンツが動画像または静止画像の画像データであると判定された場合、処理はステップＳ３７に進み、コンテンツ判定部３５は、注目コンテンツである画像データと、図３の臨時コミュニティサイト管理データの「NGコンテンツ」として登録されているNG画像とを比較し、所定のアルゴリズムに基づいて、類似度を算出する。画像データとNG画像との比較においては、画像データ同士が比較されてもよいし、それぞれのメタデータ同士が比較されるようにしてもよい。
【０１０１】
ステップＳ３８において、コンテンツ判定部３５は、画像データとNG画像との類似度が所定の値より大きいか否かを判定する。
【０１０２】
ステップＳ３８において、画像データとNG画像との類似度が所定の値より大きいと判定された場合、処理はステップＳ３３に進み、注目コンテンツがNGなコンテンツであると判定され、処理は終了する。
【０１０３】
また、ステップＳ３６において、注目コンテンツが動画像または静止画像の画像データでないと判定された場合、または、ステップＳ３８において、画像データとNG画像との類似度が所定の値より大きくないと判定された場合、何もされず、処理は終了する。
【０１０４】
以上のようにして、注目コンテンツがNGなコンテンツであるか否かが判定される。なお、上述したように、NGなコンテンツであると判定されたコンテンツは、その臨時コミュニティサイトで公開されないようになる。
【０１０５】
さて、図６のフローチャートの説明に戻り、ステップＳ１６において、NGなコンテンツが所定数より多く登録されていると判定された場合、処理はステップＳ１１に戻り、他の臨時コミュニティサイトについて、ステップＳ１１以降の処理が実行される。
【０１０６】
一方、ステップＳ１３において、端末データ取得部３２によって取得された端末データの数が所定数より多くないと判定された場合、ステップＳ１４において、設定範囲内に存在する携帯端末装置２の数が所定数より多くないと判定された場合、ステップＳ１５において、所定期間内に新たなコンテンツが登録されていないと判定された場合、または、ステップＳ１６において、NGなコンテンツが所定数より多く登録されていないと判定された場合、処理はステップＳ１７に進む。
【０１０７】
ステップＳ１７において、臨時コミュニティサイト管理部３３の削除部６４は、その臨時コミュニティサイト管理DB４１に記憶されている、その臨時コミュニティサイトに関する臨時コミュニティサイト管理データを削除する。また、削除部６４は、削除された臨時コミュニティサイト上で公開されているコンテンツを削除するとともに、コンテンツ管理DB４２に記憶されている、そのコンテンツに関するコンテンツ管理データを削除する。なお、このとき、削除部６４は、その臨時コミュニティサイトに関する臨時コミュニティサイト管理データを削除するとともに、対応する臨時コミュニティサイト自体を削除するようにしてもよい。
【０１０８】
以上の処理によれば、宴会や結婚式、同窓会等のイベントが終了し、臨時コミュニティサイトを構成する携帯端末装置２のユーザとしてのメンバが解散してその場から離れたり、一定期間、新たなコンテンツの登録をしなくなった場合、その臨時コミュニティサイトは、管理者等によるいずれの操作を必要とすることなく、削除されるようになる。したがって、宴会や結婚式、同窓会等のイベントが終了した後に、臨時コミュニティサイトが放置されることもなく、第３者に何らかの手段でその臨時コミュニティサイトの情報を盗み見られる等の情報の漏えいを防ぐことができ、ユーザは、安心してコミュニティサイトを利用することができるようになる。
【０１０９】
さらに、第３者に臨時コミュニティサイトの情報を盗み見られる等の情報の漏えいを防ぐことができるので、ユーザは、メンバ以外の人間には知られたくない機密性の高いコンテンツ（例えば、社外秘の文書等）を安心して臨時コミュニティサイト上で公開することができ、ビジネスをセキュアに進めることができるようになる。また、それぞれのメンバがより本音を反映させたブログやコメントを書き込むことができたり、社外のミーティング等において社員間同士で隠れて話し合いを行ったり、さらには、宴会の席で参加者全員が酔って記憶を失くしたとしても、臨時コミュニティサイト上でのやりとりは残らないので、安心して、より密度の濃いコミュニケーションを行うことができるようになる。
【０１１０】
ところで、図５を参照して説明したように、臨時コミュニティサイト上で公開されるコンテンツには、有効期限が設定されている。したがって、臨時コミュニティサイト上で公開されているコンテンツは、図６のフローチャートを参照して説明した臨時コミュニティサイト削除処理によって臨時コミュニティサイト自体が削除される前に、有効期限になると削除されてしまう。
【０１１１】
そこで、以下においては、本技術の一実施の形態に係るコミュニティサイト提供システムにおけるコンテンツの有効期限の更新について説明する。
【０１１２】
［有効期限更新処理の例］
図８は、本技術の一実施の形態に係るコミュニティサイト提供システムにおける、臨時コミュニティサイト上のコンテンツの有効期限更新処理について説明するフローチャートである。
【０１１３】
ステップＳ５１において、ASNSサーバ３のコンテンツ管理部３４の参照部８２は、コンテンツ管理DB４２のコンテンツ管理データを参照し、有効期限がごく近いコンテンツ管理データがあるか否かを判定する。なお、有効期限がごく近いコンテンツ管理データを、以下、削除候補コンテンツ管理データという。ステップＳ５１の処理は、削除候補コンテンツ管理データがあると判定されるまで繰り返される。
【０１１４】
ステップＳ５１において、削除候補コンテンツ管理データがあると判定された場合、処理はステップＳ５２に進み、端末データ取得部３２は、その削除候補コンテンツ管理データのユーザIDで示される携帯端末装置２の端末データが取得可能か否かを判定する。
【０１１５】
ステップＳ５２において、端末データが取得可能であると判定された場合、処理はステップＳ５３に進み、コンテンツ管理部３４の更新部８３は、削除候補コンテンツ管理データの有効期限を、例えば現在日時から３日後等の日時に更新する。その後、処理はステップＳ５１に戻り、他の臨時コミュニティサイトのコンテンツについてのコンテンツ管理データが参照される。
【０１１６】
一方、ステップＳ５２において、端末データが取得可能でないと判定された場合、ステップＳ５４において、ネットワーク通信部３１は、インターネット１を介して、その削除候補コンテンツ管理データのユーザIDで示される携帯端末装置２に対して、コンテンツの有効期限の更新を確認する旨の情報を送信する。
【０１１７】
携帯端末装置２においては、ネットワーク通信部２１が、ASNSサーバ３からの情報を受信し、図示せぬディスプレイに、ユーザに有効期限の更新を選択させるための画面を表示させる。
【０１１８】
そして、ステップＳ７１において、ネットワーク通信部２１は、有効期限の更新が選択されたか否かを判定する。ステップＳ７１において、有効期限の更新が選択されたと判定された場合、処理はステップＳ７２に進み、ネットワーク通信部２１は、インターネット１を介して、ASNSサーバ３に対して、有効期限の更新を指示する旨の情報を送信する。このとき、ユーザに所望の有効期限（例えば、「2111年3月31日」等）を設定させるようにして、ユーザに有効期限の更新を選択させるとともに、その有効期限を表す情報も合わせてASNSサーバ３に対して送信するようにしてもよい。ASNSサーバ３においては、ネットワーク通信部３１が、携帯端末装置２からの情報を受信する。一方、ステップＳ７１において、有効期限の更新が選択されていないと判定された場合、ステップＳ７２の処理はスキップされる。
【０１１９】
さて、ステップＳ５５において、ASNSサーバ３のコンテンツ管理部３４の更新部８３は、携帯端末装置２において削除候補コンテンツ管理データの有効期限の更新が指示されたか否かを判定する。
【０１２０】
ステップＳ５５において、携帯端末装置２からの情報を受信し、携帯端末装置２において削除候補コンテンツ管理データの有効期限の更新が指示されたと判定されると、処理はステップＳ５３に進み、削除候補コンテンツ管理データの有効期限が更新される。このとき、携帯端末装置２からの情報に、有効期限を表す情報が含まれている場合、削除候補コンテンツ管理データの有効期限は、ユーザに設定された有効期限に更新されるようになる。
【０１２１】
一方、携帯端末装置２からの情報を受信せず、ステップＳ５５において、携帯端末装置２において削除候補コンテンツ管理データの有効期限の更新が指示されていないと判定されると、処理はステップＳ５６に進み、コンテンツ管理部３４の削除部８４は、削除候補コンテンツ管理データを削除する。このとき、削除部８４は、臨時コミュニティサイト管理DB４１に記憶されている臨時コミュニティサイト管理データの構成ユーザにおいて、削除候補コンテンツ管理データのユーザIDと同一となる情報（IPアドレス等）も削除する。
【０１２２】
一方、携帯端末装置２においては、ステップＳ７３において、ネットワーク通信部２１は、図示せぬディスプレイに、ユーザにコンテンツの削除を選択させるための画面を表示させ、コンテンツの削除が選択されたか否かを判定する。ステップＳ７３において、コンテンツの削除が選択されたと判定された場合、ステップＳ７４において、ネットワーク通信部２１は、インターネット１を介して、ASNSサーバ３に対して、コンテンツ管理データの削除を指示する旨の情報を送信する。ASNSサーバ３においては、ネットワーク通信部３１が、携帯端末装置２からの情報を受信し、ステップＳ５６において、コンテンツ管理部３４の削除部８４は、削除候補コンテンツ管理データを削除する。
【０１２３】
また、ステップＳ７３において、コンテンツの削除が選択されていないと判定された場合、処理はステップＳ７１に戻り、以降の処理が繰り返される。
【０１２４】
以上の処理によれば、臨時コミュニティサイト上で公開されているコンテンツが有効期限を向かえた場合でも、臨時コミュニティサイトが存在する間は、コンテンツの有効期限を更新して、コンテンツが削除されないようにすることができる。
【０１２５】
また、以上の処理によれば、ユーザに、コンテンツの有効期限を設定させて、有効期限を更新するようにしたり、有効期限に関わらずユーザの指示に応じてコンテンツを削除するようにもできる。これにより、宴会や結婚式、同窓会等のイベントにおいて臨時コミュニティサイトが作成された後、メンバの１人が、急用ができたり、気分を害したりして、その場から離れた場合、そのメンバが、コンテンツの有効期限を設定して、有効期限を更新させることで、自身が登録したコンテンツを、引き続き他のメンバに公開することが可能となる。また、そのメンバが、コンテンツの削除を選択することで、臨時コミュニティサイト上で自身が登録したコンテンツを、他のメンバに公開しないようにすることも可能となる。
【０１２６】
したがって、ユーザがその場から離れた後でも、臨時コミュニティサイト上で自身が登録したコンテンツの公開の継続と終了とを選択することができ、ユーザは、安心してコミュニティサイトを利用することができるようになる。
【０１２７】
以上においては、ユーザがその場から離れた後、そのユーザの携帯端末装置２に対して、ASNSサーバ３がコンテンツの更新を確認する旨の情報を送信することで、ユーザに、コンテンツの有効期限が切れることを知らせるようにしたが、ユーザがその場から離れた後、ユーザが、自分からコンテンツの有効期限を問い合わせるようにしてもよい。
【０１２８】
以下においては、ユーザがその場から離れた後、ユーザが、自分からコンテンツの有効期限を問い合わせるようにした場合のコンテンツの有効期限の更新について説明する。
【０１２９】
［有効期限更新処理の他の例］
図９は、ユーザが、自分からコンテンツの有効期限を問い合わせるようにした場合の有効期限更新処理について説明するフローチャートである。
【０１３０】
なお、図９のフローチャートのステップＳ９２乃至Ｓ９７およびステップＳ１０３乃至Ｓ１０６の処理は、図８のフローチャートのステップＳ５１乃至Ｓ５６およびステップＳ７１乃至Ｓ７４の処理と基本的に同様であるので、その説明は省略する。
【０１３１】
携帯端末装置２において、ユーザの操作によって、図示せぬディスプレイに、ユーザに有効期限の確認を選択させるための画面が表示されると、ステップＳ１０１において、ネットワーク通信部２１は、有効期限の確認が選択されたか否かを判定する。ステップＳ１０１において、有効期限の確認が選択されたと判定された場合、処理はステップＳ１０２に進み、ネットワーク通信部２１は、インターネット１を介して、ASNSサーバ３に対して、有効期限の確認を要求する旨の情報を送信する。
【０１３２】
ASNSサーバ３においては、ネットワーク通信部３１が、携帯端末装置２からの情報を受信すると、ステップＳ９１において、コンテンツ管理部３４の参照部８２は、コンテンツ管理DB４２のコンテンツ管理データを参照し、情報を送信してきた携帯端末装置２に対応するユーザIDのコンテンツ管理データにおける有効期限を検索する。そして、ネットワーク通信部３１は、インターネット１を介して、有効期限の確認を要求してきた携帯端末装置２に対して、検索結果としてのコンテンツの有効期限を通知する。
【０１３３】
以上の処理によれば、ユーザがその場から離れた場合でも、そのユーザは、自分からコンテンツの有効期限を知ることができる上に、図８のフローチャートを参照して説明した処理と同様の効果を得ることができる。
【０１３４】
ところで、宴会や結婚式、同窓会等のイベントが終了し、臨時コミュニティサイトを構成する携帯端末装置２のユーザとしてのメンバが解散してその場から離れた後で、そのメンバ同士が再び集まることがある。しかしながら、図６のフローチャートを参照して説明したように、臨時コミュニティサイトを構成するメンバが解散してその場から離れてしまうと、その臨時コミュニティサイトはいずれ削除されてしまうので、メンバが再び集まったとしても、そのときに、当時の臨時コミュニティサイトにアクセスすることはできない。
【０１３５】
そこで、以下においては、本技術の一実施の形態に係るコミュニティサイト提供システムにおける臨時コミュニティサイトの引き継ぎについて説明する。
【０１３６】
［臨時コミュニティサイト引き継ぎ処理について］
図１０は、本技術の一実施の形態に係るコミュニティサイト提供システムにおける、臨時コミュニティサイト引き継ぎ処理について説明するフローチャートである。
【０１３７】
まず、メンバが解散する前、言い換えれば、臨時コミュニティサイトが削除される前に、ステップＳ１２１において、ASNSサーバ３の臨時コミュニティサイト管理部３３の生成部６１は、例えば、メンバのうちのいずれか１人の携帯端末装置２によって、その臨時コミュニティサイトの引き継ぎが指示されたか否かを判定する。
【０１３８】
ここで、図１１を参照して、携帯端末装置２の図示せぬディスプレイに表示される、ユーザに臨時コミュニティサイトの引き継ぎを指示させるための画面の表示例について説明する。
【０１３９】
図１１に示される表示画面１０１には、その上部に、表示画面１０１が臨時コミュニティサイトを作成するためのアプリケーションの画面であることを示す文言「臨時コミュニティ作成アプリ」が表示されている。さらに、表示画面１０１には、臨時コミュニティ作成ボタン１１１、テキストボックス１１２，１１３、およびチェックボックス１１４が設けられている。
【０１４０】
臨時コミュニティ作成ボタン１１１は、携帯端末装置２のユーザによって、臨時コミュニティサイトの作成または引き継ぎが指示される際に選択（押下）されるボタンである。
【０１４１】
テキストボックス１１２，１１３は、作成または引き継ぎが指示される臨時コミュニティサイトにおいて設定されるNGコンテンツとしてのNGエンティティを入力するためのテキストボックスである。具体的には、テキストボックス１１２，１１３には、例えば、図示せぬサブ画面においてNGコンテンツとして選択される、携帯端末装置２内やインターネット１上に存在するファイルのファイル名が入力される。この場合、NGコンテンツとして選択されたそのファイルは、ユーザによって臨時コミュニティ作成ボタン１１１が押下されることで、携帯端末装置２内やインターネット１上から取得され、ASNSサーバ３に送信される。また、テキストボックス１１２，１１３には、ユーザの操作によって直接テキスト（NGテキスト）が入力されてもよい。
【０１４２】
また、チェックボックス１１４の右側には、「一次会のコンテンツを引き継ぐ」の文言が表示されており、チェックボックス１１４には、臨時コミュニティサイトの引き継ぎが指示される際に、ユーザの操作によってチェック記号が表示されるようになる。
【０１４３】
すなわち、チェックボックス１１４にチェック記号が表示されない状態で臨時コミュニティ作成ボタン１１１が押下されると、臨時コミュニティサイトの作成が指示され、チェックボックス１１４にチェック記号が表示された状態で臨時コミュニティ作成ボタン１１１が押下されると、臨時コミュニティサイトの引き継ぎが指示されるようになる。
【０１４４】
さて、図１０のフローチャートに戻り、ステップＳ１２１において、臨時コミュニティサイトの引き継ぎが指示されたと判定された場合、すなわち、臨時コミュニティサイトを構成する携帯端末装置２の表示画面１０１において、チェックボックス１１４にチェック記号が表示された状態で臨時コミュニティ作成ボタン１１１が押下された場合、処理はステップＳ１２２に進む。
【０１４５】
ステップＳ１２２において、臨時コミュニティサイト管理部３３の参照部６２は、臨時コミュニティサイト管理DB４１の臨時コミュニティサイト管理データを参照する。
【０１４６】
ステップＳ１２３において、臨時コミュニティサイト管理部３３の生成部６１は、臨時コミュニティサイトに関連して作成される関連臨時コミュニティサイト、具体的には、臨時コミュニティサイトが引き継がれることによって作成される派生臨時コミュニティサイトを管理するための派生臨時コミュニティサイト管理データが生成可能であるか否かを判定する。
【０１４７】
例えば、生成部６１は、臨時コミュニティサイト上で公開されたコンテンツにおいて、ポジティブな発言（例えば、ブログやコメントにおける「この後飲みに行こう」等の発言）や被写体が笑顔である画像が多い場合には、臨時コミュニティサイトを構成する携帯端末装置２を扱うメンバは解散した後再び集まる可能性が高いとし、派生臨時コミュニティサイト管理データが生成可能であると判定する。
【０１４８】
また、例えば、生成部６１は、臨時コミュニティサイトについての臨時コミュニティサイト管理データの属性に基づいて、派生臨時コミュニティサイト管理データが生成可能であるか否かを判定するようにしてもよい。具体的には、例えば、臨時コミュニティサイト管理データの属性が「宴会」である場合には、メンバの多くは１次会から２次会に参加する可能性が高いとされ、派生臨時コミュニティサイト管理データが生成可能であると判定される。また、例えば、臨時コミュニティサイト管理データの属性が「同窓会」である場合には、メンバの半数は帰宅する可能性が高いとされ、派生臨時コミュニティサイト管理データが生成可能でないと判定される。
【０１４９】
このようにして、ステップＳ１２３において、派生臨時コミュニティサイト管理データが生成可能であると判定された場合、処理はステップＳ１２４に進み、生成部６１は、例えば、１時間等の期間としての引き継ぎ期間を設定する。引き継ぎ期間が設定されると、端末データ取得部３２は、臨時コミュニティサイトを構成する携帯端末装置２の端末データの取得を開始する。
【０１５０】
ステップＳ１２５において、端末データ取得部３２は、引き継ぎ期間内であるか否かを判定し、引き継ぎ期間内であると判定した場合、処理はステップＳ１２６に進む。
【０１５１】
ステップＳ１２６において、端末データ取得部３２は、臨時コミュニティサイトを構成する携帯端末装置２の端末データを所定数より多く取得できたか否かを判定する。
【０１５２】
ステップＳ１２６において、端末データを所定数より多く取得できていないと判定された場合、処理はステップＳ１２５に戻り、ステップＳ１２５，Ｓ１２６の処理が繰り返される。
【０１５３】
そして、ステップＳ１２６において、引き継ぎ期間内に、端末データを所定数より多く取得できたと判定されると、ステップＳ１２７において、生成部６１は、臨時コミュニティサイトの臨時コミュニティサイト管理データと、その臨時コミュニティサイト上で公開されていたコンテンツのコンテンツ管理データとをコピーし、派生臨時コミュニティサイト管理データと、派生臨時コミュニティサイト上で公開されるコンテンツのコンテンツ管理データを生成する。すなわち、元の臨時コミュニティサイトは、派生臨時コミュニティサイトとして作成され、元の臨時コミュニティサイト上で公開されていたコンテンツは、派生臨時コミュニティサイト上で公開されるコンテンツとして登録されるようになる。このとき、派生臨時コミュニティサイト管理データのNGコンテンツには、図１１のテキストボックス１１２，１１３に入力されたNGコンテンツが設定される。
【０１５４】
ステップＳ１２８において、コンテンツ判定部３５は、派生臨時コミュニティサイト上で公開されるコンテンツが、正当なコンテンツであるか否かを判定するコンテンツ判定処理を実行する。なお、コンテンツ判定処理の詳細は、図７を参照して説明した処理と同様であるので、その説明は省略する。
【０１５５】
ステップＳ１２８の後、処理はステップＳ１２９に進み、コンテンツ管理部３４の削除部８４は、派生臨時コミュニティサイト上で公開されるコンテンツのうち、コンテンツ判定処理によってNGなコンテンツと判定されたコンテンツとともに、対応するコンテンツ管理データをコンテンツ管理DB４２から削除する。
【０１５６】
ステップＳ１３０において、臨時コミュニティサイト管理部３３の削除部６４は、臨時コミュニティサイト管理DB４１に記憶されている、派生臨時コミュニティサイト管理データのコピー元となった臨時コミュニティサイト管理データを削除する。また、このとき、削除部６４は、コピー元となった臨時コミュニティサイト自体を削除する。
【０１５７】
一方、ステップＳ１２１において、臨時コミュニティサイトの引き継ぎが指示されなかったと判定された場合、または、ステップＳ１２３において、派生臨時コミュニティサイト管理データが生成可能でないと判定された場合、処理はステップＳ１３１に進む。
【０１５８】
ステップＳ１３１において、臨時コミュニティサイト管理部３３の生成部６１は、臨時コミュニティサイト管理データを新規に作成する。このとき、臨時コミュニティサイト管理データのNGコンテンツには、図１１のテキストボックス１１２，１１３に入力されたNGコンテンツが設定される。ステップＳ１３１の後、処理はステップＳ１３０に進み、元の臨時コミュニティサイト管理データは削除される。
【０１５９】
また、ステップＳ１２５において、引き継ぎ期間内でないと判定された場合、すなわち、引き継ぎ期間内に、端末データを所定数より多く取得できなかった場合にも、処理はステップＳ１３１に進み、臨時コミュニティサイト管理データが新規に作成されるようになる。
【０１６０】
以上の処理によれば、宴会や結婚式、同窓会等のイベントが終了し、臨時コミュニティサイトを構成する携帯端末装置２のユーザとしてのメンバが解散してその場から離れた後で、そのメンバが再び集まる場合に、臨時コミュニティサイトを引き継いだ派生臨時コミュニティサイトを生成することができる。
【０１６１】
具体的には、例えば、結婚式の披露宴の場で構成された臨時コミュニティサイト上で公開されたコンテンツ（新郎新婦の画像や、友人からの祝福のメッセージ等）を、２次会の場で構成される臨時コミュニティサイトとなる派生臨時コミュニティサイトのコンテンツとして引き継ぐことができるので、結婚式の披露宴に参加したメンバは、２次会においても、結婚式の披露宴でのコンテンツを共有することができるようになる。
【０１６２】
また、例えば、宴会の場で構成された臨時コミュニティサイトを、同じメンバで開かれるバーベキューの場で構成される派生臨時コミュニティサイトに引き継ぐようにしたり、年１回開催される同窓会の場で構成された臨時コミュニティサイトを、翌年開催される同窓会の場で構成される派生臨時コミュニティサイトに引き継ぐようにすることができる。
【０１６３】
一般的なSNSにおけるコミュニティサイトは、常にコミュニケーションが盛んでなければ廃れてしまうが、臨時コミュニティサイトを派生臨時コミュニティサイトに引き継ぐようにすることで、派生臨時コミュニティサイトにアクセスするメンバに、コミュニティサイトの新鮮さを改めて与えることができるようになる。
【０１６４】
また、派生臨時コミュニティサイトにおいては、NGコンテンツを新たに設定するようにできるので、例えば、宴会の場で構成された臨時コミュニティサイトを、２次会の場で構成される派生臨時コミュニティサイトに引き継いだ場合、２次会から新たに参加したメンバには、特定のコンテンツを公開しないようにすることができる。
【０１６５】
したがって、宴会（１次会）の場で構成された臨時コミュニティサイト上で、職場や上司の愚痴に関するコンテンツを含むコンテンツが公開され、その臨時コミュニティサイトが、上司が出席する２次会で構成される派生臨時コミュニティサイトに引き継がれるような場合であっても、NGテキストを上司の名前にする等して、上司の愚痴に関するコンテンツをNGコンテンツに設定することで、ユーザは、安心して引き継がれたコミュニティサイトを利用することができるようになる。
【０１６６】
なお、図１０のフローチャートのステップＳ１２６における処理によれば、派生臨時コミュニティサイトは、元となる臨時コミュニティサイトのメンバ全員が揃わなくても作成される。この場合、例えば、１次会には参加し、２次会には参加しないメンバによって登録されたコンテンツは、派生臨時コミュニティサイトのコンテンツとしてコピーされるが、そのコンテンツのコンテンツ管理データにおける公開フラグを「NG」とし、派生臨時コミュニティサイト上では公開されないようになる。
【０１６７】
しかしながら、１次会、２次会ともに参加しているメンバや、２次会から新たに参加したメンバから、２次会には参加しないメンバによって登録されたコンテンツを確認（閲覧）したいという要求が発生する可能性がある。
【０１６８】
そこで、以下においては、派生臨時コミュニティサイトが構成されるイベントには参加しないユーザが登録したコンテンツの開示について説明する。
【０１６９】
［コンテンツ開示処理の例］
図１２は、本技術の一実施の形態に係るコミュニティサイト提供システムにおいて、派生臨時コミュニティサイトが構成されるイベントには参加しないユーザが登録したコンテンツの開示処理について説明するフローチャートである。
【０１７０】
ステップＳ１５１において、端末データ取得部３２は、ネットワーク通信部３１を介して派生臨時コミュニティサイトを構成する携帯端末装置２の端末データを取得する。
【０１７１】
ステップＳ１５２において、臨時コミュニティサイト管理部３３の参照部６２は、派生臨時コミュニティサイト管理データの構成ユーザを参照し、その構成ユーザで示される携帯端末装置２のうち、端末データを取得できない携帯端末装置２が存在するか否かを判定する。
【０１７２】
ステップＳ１５２において、端末データを取得できない携帯端末装置２が存在すると判定された場合、ステップＳ１５３において、ネットワーク通信部３１は、インターネット１を介して、端末データを取得できない携帯端末装置２に対して、コンテンツの開示を依頼する旨の情報を送信する。
【０１７３】
端末データが取得されなかった携帯端末装置２においては、ネットワーク通信部２１が、ASNSサーバ３からの情報を受信し、図示せぬディスプレイに、コンテンツの開示を認めるか否かをユーザに選択させるための画面を表示させる。そして、ユーザによって、コンテンツの開示を認めるか否かのいずれかが選択されると、ステップＳ１６１において、ネットワーク通信部２１は、ユーザによって選択された内容を、コンテンツの開示の依頼に対する応答としてASNSサーバ３に送信する。
【０１７４】
ASNSサーバ３においては、ネットワーク通信部３１が、携帯端末装置２からの応答を受信し、ステップＳ１５４において、臨時コミュニティサイト管理部３３の参照部６２は、携帯端末装置２からの応答に基づいて、コンテンツの開示がOKであるか否かを判定する。
【０１７５】
ステップＳ１５４において、コンテンツの開示がOKであると判定された場合、すなわち、携帯端末装置２のユーザによって、コンテンツの開示を認めることが選択された場合、処理はステップＳ１５５に進む。
【０１７６】
ステップＳ１５５において、コンテンツ管理部３４の参照部８２は、コンテンツ管理データの公開フラグを「NG」から「OK」に変え、その携帯端末装置２のコンテンツを開示可能とする。
【０１７７】
一方、ステップＳ１５４において、コンテンツの開示がOKでないと判定された場合、すなわち、携帯端末装置２のユーザによって、コンテンツの開示を認めないことが選択された場合、処理はステップＳ１５６に進む。
【０１７８】
ステップＳ１５６において、コンテンツ管理部３４の削除部８４は、その携帯端末装置２のコンテンツを削除するとともに、対応するコンテンツ管理データをコンテンツ管理DB４２から削除する。
【０１７９】
また、ステップＳ１５２において、端末データを取得できない携帯端末装置２が存在しないと判定された場合、すなわち、派生臨時コミュニティサイトを構成する全ての携帯端末装置２の端末データが取得された場合、何もされず、処理は終了する。
【０１８０】
以上の処理によれば、例えば、１次会には参加したが、２次会には参加せず帰宅したメンバが、自身が登録したコンテンツを公開するか否かを選択することができるようになるので、ユーザは、自分が帰宅した後に、自身が登録したコンテンツに対する２次会参加メンバによる評価や意見を気にせず、安心してコミュニティサイトを利用することができるようになる。
【０１８１】
以上においては、ASNSサーバ３によって、１次会には参加したが、２次会には参加しないメンバに対して、自動的にコンテンツの開示を依頼する処理について説明したが、２次会に参加しているメンバが、コンテンツの開示の依頼を要求するようにもできる。
【０１８２】
以下においては、２次会に参加しているメンバが、コンテンツの開示の依頼を要求するようにしたコンテンツの開示について説明する。
【０１８３】
［コンテンツ開示処理の他の例］
図１３は、ユーザが、２次会に参加しているメンバが、コンテンツの開示の依頼を要求するようにしたコンテンツ開示処理について説明するフローチャートである。
【０１８４】
なお、図１３のフローチャートのステップＳ１８２乃至Ｓ１８４の処理は、図１２のフローチャートのステップＳ１５４乃至Ｓ１５６の処理と基本的に同様であるので、その説明は省略する。
【０１８５】
すなわち、２次会に参加しているメンバによって携帯端末装置２−２が操作され、ステップＳ１７１において、携帯端末装置２−２のネットワーク通信部２１が、ASNSサーバ３に対して、２次会に参加していないメンバの携帯端末装置２−１によって登録されたコンテンツの開示依頼を要求する旨の情報を送信する。
【０１８６】
ASNSサーバ３においては、ネットワーク通信部３１が、携帯端末装置２−２からの情報を受信すると、ステップＳ１８１において、ネットワーク通信部３１は、携帯端末装置２−１のユーザにコンテンツの開示の可否を選択させるためのWebページにアクセスするためのURL（Uniform Resource Locator）を、携帯端末装置２−２に送信する。
【０１８７】
携帯端末装置２−２においては、ネットワーク通信部２１がASNSサーバ３からのURLを受信すると、ステップＳ１７２において、ネットワーク通信部２１は、そのURLを携帯端末装置２−１に送信する。
【０１８８】
携帯端末装置２−１においては、携帯端末装置２−１からのURLを受信すると、ユーザの操作に応じて、ネットワーク通信部２１は、そのURLで示されるWebページにアクセスする。そのWebページにアクセスされると、図示せぬディスプレイには、携帯端末装置２−１のユーザに、コンテンツの開示の可否を選択させるための画面が表示される。そして、ユーザによって、コンテンツの開示の可否のいずれかが選択されると、ネットワーク通信部２１は、インターネット１を介して、ASNSサーバ３に対して、コンテンツの開示の可否を示す情報を送信する。
【０１８９】
そして、ASNSサーバ３においては、ネットワーク通信部３１が、携帯端末装置２からの情報を受信し、ステップＳ１８２において、携帯端末装置２からの情報に基づいて、コンテンツの開示がOKであるか否かが判定されるようになる。
【０１９０】
以上の処理においても、図１２のフローチャートを参照して説明した処理と同様の効果を得ることができる。
【０１９１】
なお、図１３のフローチャートにおいて、携帯端末装置２−１によって登録されたコンテンツが、携帯端末装置２−１内またはインターネット１上に保存されるようにした場合、携帯端末装置２−１は、ステップＳ１９１において、コンテンツの開示の可否を示す情報をASNSサーバ３に送信するとともに、携帯端末装置２−１内またはインターネット１上に保存されているコンテンツをASNSサーバ３にアップロードするようにしてもよい。
【０１９２】
また、図１３のフローチャートにおいては、携帯端末装置２−１のユーザにコンテンツの開示の可否を選択させるために、ASNSサーバ３からURLを送信するようにしたが、Web API（Application Program Interface）やその他の手法で、携帯端末装置２−１のユーザにコンテンツの開示の可否を選択させて、ASNSサーバ３に対して、コンテンツの開示の可否を通知するようにしてもよい。
【０１９３】
また、本実施の形態においては、携帯端末装置２は、例えば、HTTP（Hyper Text Transfer Protocol）ヘッダとして、PragmaヘッダやCache-Controlヘッダに“no-cache”を指定するか、または、ExpiresヘッダやCache-Controlヘッダに期限を指定することで、臨時コミュニティサイト上のコンテンツをキャッシュしないか、または、キャッシュしたとしても指定された期限に応じて削除されるようになされる。
【０１９４】
図１４は、上述したASNSサーバ３による一連の処理をプログラムにより実行するコンピュータのハードウェアの構成例を示すブロック図である。
【０１９５】
コンピュータにおいて、CPU（Central Processing Unit）９０１，ROM（Read Only Memory）９０２，RAM（Random Access Memory）９０３は、バス９０４により相互に接続されている。
【０１９６】
バス９０４には、さらに、入出力インタフェース９０５が接続されている。入出力インタフェース９０５には、キーボード、マウス、マイクロホン等よりなる入力部９０６、ディスプレイ、スピーカ等よりなる出力部９０７、ハードディスクや不揮発性のメモリ等よりなる記憶部９０８、ネットワークインタフェース等よりなる通信部９０９、磁気ディスク、光ディスク、光磁気ディスク、或いは半導体メモリ等のリムーバブルメディア９１１を駆動するドライブ９１０が接続されている。
【０１９７】
以上のように構成されるコンピュータでは、CPU９０１が、例えば、記憶部９０８に記憶されているプログラムを、入出力インタフェース９０５およびバス９０４を介して、RAM９０３にロードして実行することにより、上述した一連の処理が行われる。
【０１９８】
コンピュータ（CPU９０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリ等よりなるパッケージメディアであるリムーバブルメディア９１１に記録して、あるいは、ローカルエリアネットワーク、インターネット、デジタル衛星放送といった、有線または無線の伝送媒体を介して提供される。
【０１９９】
そして、プログラムは、リムーバブルメディア９１１をドライブ９１０に装着することにより、入出力インタフェース９０５を介して、記憶部９０８にインストールすることができる。また、プログラムは、有線または無線の伝送媒体を介して、通信部９０９で受信し、記憶部９０８にインストールすることができる。その他、プログラムは、ROM９０２や記憶部９０８に、あらかじめインストールしておくことができる。
【０２００】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２０１】
また、本技術の実施の形態は、上述した実施の形態に限定されるものではなく、本発明の要旨を逸脱しない範囲において種々の変更が可能である。
【０２０２】
さらに、本技術は以下のような構成をとることができる。
（１）  複数の端末装置から送信されてくる情報の類似度に応じて作成されるコミュニティサイトを管理するコミュニティサイト管理部と、
前記端末装置のそれぞれによって前記コミュニティサイト上で登録されるコンテンツを管理するコンテンツ管理部と、
前記端末装置のそれぞれから送信されてくる、前記端末装置を特定する端末データを取得する端末データ取得部と
を備え、
前記コミュニティサイト管理部は、前記端末データ取得部によって取得された前記端末データ、または、前記コンテンツ管理部によって管理されている前記コンテンツに基づいて、前記コミュニティサイトとともに、前記コミュニティサイト上の前記コンテンツを削除する
情報処理装置。
（２）  前記コミュニティサイト管理部は、前記端末装置の位置を表す前記端末データの数、または、前記コンテンツの状態または内容に基づいて、前記コミュニティサイトとともに、前記コミュニティサイト上の前記コンテンツを削除する
（１）に記載の情報処理装置。
（３）  端末データ取得部は、前記コミュニティサイトに関連する関連コミュニティサイトの作成が指示された場合、前記コミュニティサイトに関わる前記端末装置の前記端末データを取得し、
前記コミュニティサイト管理部は、前記端末データ取得部によって取得された前記端末データの数が所定の数より大きい場合、前記コミュニティサイトおよび前記コミュニティサイト上の前記コンテンツをコピーして、前記関連コミュニティサイトおよび前記関連コミュニティサイト上のコンテンツを生成するとともに、コピー元となった前記コミュニティサイトおよび前記コミュニティサイト上の前記コンテンツを削除する
（１）または（２）に記載の情報処理装置。
（４）  前記コミュニティサイト管理部は、前記関連コミュニティサイトの作成が指示されてから所定の期間内に、前記端末データ取得部によって取得された前記端末データの数が所定の数より大きくなった場合、前記コミュニティサイトおよび前記コミュニティサイト上の前記コンテンツをコピーして、前記関連コミュニティサイトおよび前記関連コミュニティサイト上のコンテンツを生成する
（３）に記載の情報処理装置。
（５）  前記端末データ取得部により前記端末データが取得されなかった前記端末装置に対して、前記端末装置によって登録された前記関連コミュニティサイト上の前記コンテンツの開示の依頼を送信する通信部をさらに備え、
前記コンテンツ管理部は、前記端末装置からの前記開示の依頼の応答に応じて、前記関連コミュニティサイト上の前記コンテンツを削除する
（４）に記載の情報処理装置。
（６）  複数の端末装置から送信されてくる情報の類似度に応じて作成されるコミュニティサイトを管理するコミュニティサイト管理部と、
前記端末装置のそれぞれによって前記コミュニティサイト上で登録されるコンテンツを管理するコンテンツ管理部と、
前記端末装置のそれぞれから送信されてくる、前記端末装置を特定する端末データを取得する端末データ取得部と
を備える情報処理装置の情報処理方法であって、
前記端末データ取得部によって取得された前記端末データ、または、前記コンテンツ管理部によって管理されている前記コンテンツに基づいて、前記コミュニティサイトとともに、前記コミュニティサイト上の前記コンテンツを削除する削除ステップ
を含む情報処理方法。
（７）  他の端末装置との情報の類似度に応じて作成されるコミュニティサイト、および、前記コミュニティサイト上で登録されるコンテンツを管理するサーバと通信する通信部と、
自身を特定する端末データを生成する生成部と
を備え、
前記通信部は、送信されてくる前記端末データまたは前記コミュニティサイト上の前記コンテンツに基づいて、前記コミュニティサイトとともに、前記コミュニティサイト上の前記コンテンツを削除する前記サーバに、前記端末データを送信する
端末装置。
（８）  前記端末データは、自身の位置を表す
（７）に記載の端末装置。
（９）  前記サーバにおいて、前記コミュニティサイトに関連する関連コミュニティサイトの作成が指示された場合、
前記通信部は、前記端末データの数が所定の数より大きい場合、前記コミュニティサイトおよび前記コミュニティサイト上の前記コンテンツをコピーして、前記関連コミュニティサイトおよび前記関連コミュニティサイト上のコンテンツを生成するとともに、コピー元となった前記コミュニティサイトおよび前記コミュニティサイト上の前記コンテンツを削除する前記サーバに、前記端末データを送信する
（７）または（８）に記載の端末装置。
（１０）  前記サーバにおいて、前記関連コミュニティサイトが作成された後、
前記通信部は、自身が登録した前記関連コミュニティサイト上の前記コンテンツの開示の依頼を前記サーバから受信し、前記依頼に対する応答に前記サーバに送信する
（９）に記載の端末装置。
（１１）  複数の端末装置と、複数の前記端末装置から送信されてくる情報の類似度に応じてコミュニティサイトを作成する情報処理装置とからなる情報処理システムにおいて、
前記端末装置は、
自身を特定する端末データを生成する生成部と、
前記情報処理装置に、前記端末データを送信する通信部と
を備え、
前記情報処理装置は、
前記端末装置間の距離に応じて作成されるコミュニティサイトを管理するコミュニティサイト管理部と、
前記端末装置のそれぞれによって前記コミュニティサイト上で登録されるコンテンツを管理するコンテンツ管理部と、
前記端末装置のそれぞれから送信されてくる、前記端末装置を特定する端末データを取得する端末データ取得部と
を備え、
前記コミュニティサイト管理部は、前記端末データ取得部によって取得された前記端末データ、または、前記コンテンツ管理部によって管理されている前記コンテンツに基づいて、前記コミュニティサイトとともに、前記コミュニティサイト上の前記コンテンツを削除する
情報処理システム。
【符号の説明】
【０２０３】
２，２−１，２−２  携帯端末装置，  ３  ASNSサーバ，  ２１  ネットワーク通信部，  ２２  位置特定部，  ２３  近距離無線通信部，  ３１  ネットワーク通信部，  ３２  端末データ取得部，  ３３  臨時コミュニティサイト管理部，  ３４  コンテンツ管理部，  ３５  コンテンツ判定部，  ４１  臨時コミュニティサイト管理DB，  ４２  コンテンツDB，  ６１  生成部，  ６２  参照部，  ６３  更新部，  ６４  削除部，  ８１  生成部，  ８２  参照部，  ８３  更新部，  ８４  削除部
【図１】
0006035705.tif 000002
【図２】
0006035705.tif 000003
【図３】
0006035705.tif 000004
【図４】
0006035705.tif 000005
【図５】
0006035705.tif 000006
【図６】
0006035705.tif 000007
【図７】
0006035705.tif 000008
【図８】
0006035705.tif 000009
【図９】
0006035705.tif 000010
【図１０】
0006035705.tif 000011
【図１１】
0006035705.tif 000012
【図１２】
0006035705.tif 000013
【図１３】
0006035705.tif 000014
【図１４】
0006035705.tif 000015